(57)【要約】      （修正有）【課題】効率的、かつ有効にシラミの卵や幼虫を除去できるシラミ寄生症の治療用の櫛を提供する。【解決手段】櫛１は把持部２および複数の歯部３を備える。複数の歯部の各々は、毛髪中に存在する幼虫およびシラミを捕らえて引きずり出すように意図された連続した溝部または谷部を備える。溝部または谷部は、各々の櫛歯または針部に沿って互いに交差する２つのグループを形成し、これにより、互いに反対方向に面する尖った端縁と交差区域とを規定する。【選択図】図１
0003208806.tif 000002
【実用新案登録請求の範囲】
【請求項１】
把持ハンドルを含むタイプのアタマジラミ治療用の櫛であって、複数の歯部が把持部から突き出し、前記歯部は、１本の毛髪が通過できる距離だけ間隔を空けて配置され、前記毛髪上に存在するシラミおよび幼虫を保持して引きずり出すための粗い手段を備え、前記粗い手段は、前記歯部の各々のうち少なくとも１つの長手方向セグメントの表面上に規定される複数の連続した溝部または谷部を備え、
前記複数の溝部または谷部は、少なくとも２グループの溝部または谷部によって形成され、前記少なくとも２グループの溝部または谷部は、すなわち、各々の歯部のまわりを螺旋状に第１の回転方向に延在する第１のグループの溝部と、各々の歯部のまわりを螺旋状に、前記第１の回転方向と交差する第２の方向に延在する第２のグループの溝部とであり、前記溝部は、歯部の間の隙間の各々において両方向に尖った端縁を規定する、櫛。
【請求項２】
前記第１のグループの溝部は、交差区域を規定する前記第２のグループの溝部と交差する、請求項１に記載の櫛。
【請求項３】
前記交差区域は、各々の歯部に沿って、前記各々の歯部のまわりにランダムに配置される、請求項２に記載の櫛。
【請求項４】
前記交差区域は、前記歯部の間における前記隙間に配置される、請求項２に記載の櫛。
【請求項５】
前記歯部は、０．０５ｍｍから０．１ｍｍの距離を空けて配置される、請求項１から４のいずれかに記載の櫛。
【請求項６】
１つのグループの前記溝部は、前記歯部のまわりに円周方向に延在し、０．５ｍｍから５ｍｍの距離を空けて配置される、請求項１から５のいずれかに記載の櫛。
【請求項７】
前記溝部または谷部は、少なくとも一方の側面が、歯面に沿って突出する境界部によって形成されている、請求項１から６のいずれかに記載の櫛。
【請求項８】
前記歯部は、０．０５ｍｍ〜０．１ｍｍの距離を空けて配置され、隆起した前記境界部は、前記歯面の上方に０．００５ｍｍから０．０４ｍｍだけ突出している、請求項７に記載の櫛。
【請求項９】
前記突出している境界部の各々は上方端縁を有する、請求項７および請求項８のいずれかに記載の櫛。
【請求項１０】
隣接する歯部のうち前記突出している境界部は互いからずらされている、請求項７から９のいずれかに記載の櫛。
【請求項１１】
隣接する歯部のうち前記突出している境界部が互いに面している、請求項７から９のいずれかに記載の櫛。
【請求項１２】
前記突出している境界部は、各々の溝部の両側に存在する、請求項７から１１のいずれかに記載の櫛。
【請求項１３】
前記溝部は転造によって形成される、請求項１から１２のいずれかに記載の櫛。
【請求項１４】
請求項１から１３のいずれかに記載の櫛の歯部上において突出する境界部および溝部を形成するための方法であって、
前記櫛の前記歯部の各々に対して転造圧力工具を作用させて、前記歯面に対して傾斜した力ベクトルとして圧力を与えて前記溝部を形成し、前記溝部に隣接する材料を前記溝部の少なくとも一方側に向かって移動させるステップを含み、前記境界部は前記溝部の少なくとも前記一方側に形成される、方法。
【請求項１５】
前記転造工具は前記歯部の表面に対して垂直な力を加え、前記溝部に隣接する前記材料を前記溝部の両側に移動させて、前記溝部の両側に前記境界部を形成する、請求項１４に記載の方法。
【考案の詳細な説明】
【技術分野】
【０００１】
技術の説明
考案の分野
本考案は、毛髪に付着したシラミの卵および幼虫を除去するように意図された、シラミ寄生症治療用の櫛に向けられたものであり、より特定的には、本考案は、毛髪に一方向または反対方向に櫛を入れて掃引することによって、毛髪から幼虫およびシラミを除去することを可能にする改善された櫛に関する。この場合、このように双方向に除去することができるため、同じタイプの従来から公知である櫛と比較して、より効率的になる。
【背景技術】
【０００２】
考案の背景
シラミ寄生症は全住民のうちさまざまな階層の人々に影響を与えるものであるが、最も影響が大きいのは、学童であって、特に学校内および学校外での活動およびスポーツの際に幼い子供が他者と接触し始める時期から発生し始める。
【０００３】
シラミは頭皮上に留まり、毛髪に卵、すなわち、シラミとして一般に知られているヒトジラミ（Pedeculus humanus）や、恥毛ジラミ（Phtirius pubis）や同様の種の卵、を生み付ける。
【０００４】
この寄生虫症を治療するために、多くの化合物が開発されてきたが、それに加えて、化学製品を塗布するのに用いられるような、副次的作用を引起こすことない、シラミおよび幼虫を除去するためのさまざまな櫛も開発されてきた。
【０００５】
化学物質の使用を可能な限り避けるために、さまざまな櫛設計が普及してきた。このようなさまざまな櫛設計が備える把持部には、多数の針部、歯部または鋼線が取付けられており、それらの間にある隙間は、隣接する歯部同士の間を毛髪が１本だけぎりぎり通過できるように設計されており、これにより、そこに付着するものは何であれ、特に幼虫であっても、このような櫛歯同士の間に保持されることとなる。このようにして、患者の毛髪全体に櫛を通すことにより、可能な限り多くの幼虫を除去することが可能となる。
【０００６】
よりうまく幼虫を除去する目的を最も有効に達成した櫛の１つが、アルゼンチン特許ＡＲ０３２７５Ｂ１と米国の対応するＵＳ５．８７３．３７４とに開示されている。これらはともに本考案出願人が所有するものであり、添付の特許請求の範囲により具体的に規定されているように、外周面に凹凸のある針部を備えたシラミ用櫛を開示している。上記櫛は、把持部と、複数の、好ましくは鋼製の歯部、ワイヤまたは針部とを備え、各々の針部は、ハンドルに取付けられた端部と、接触端部と、外周面とを有する。各々の針部の接触端部は鋭い先端部および丸みを帯びた先端部を有する。これらの特許の概念に従うと、先行技術に対するこの櫛の新規性は、毛髪に付着した幼虫を捕らえて引きずり出すように設計された凸凹が各々の針部の外周面に設けられている点である。櫛はまた、隣接する針部同士の間に５０μｍ〜１００μｍの距離などの他の特徴を有する。各々の針部は、全長が４０ｍｍ〜８０ｍｍの範囲であり、ハンドル以外の有用な長さは２０ｍｍ〜６０ｍｍの範囲である。アルゼンチン特許ＡＲ０３２７５Ｂ１およびその米国対応において言及されている凹凸の特徴は、好ましくは、螺旋ピッチが４ｍｍ未満である螺旋状溝部を備えていることに基づいている。
【０００７】
アルゼンチン特許ＡＲ０３２７５Ｂ１の通路および溝部は、幼虫の保持および引きずり出しを改善するものであり、溝部の目的は、幼虫を捕らえるように設計された幾何学的形状を急激に変化させて歯部の滑らかな表面を遮る尖った端縁（live edges）を提供することである。しかしながら、使用中、櫛が上方から毛髪に挿入され、毛髪に沿って下げられて、毛髪の下方端から幼虫を引きずり出し、こうして、針部と毛髪とを相対的に移動させることにより、毛髪が針部同士の間の隙間の一番下にまで到達してそこから出ていくことが観察された。この目的は、経路に沿った溝部における尖った端縁または鋭い端縁によって幼虫を捕らえることである。しかしながら、毛髪が針部同士の間の隙間内を一方向に通過する場合、すべての溝部のすべての境界部が尖った端縁であるとは限らない。なぜなら、先行技術を例示する図に関連付けて以下に説明するように、境界部のうち半分が滑らかになっているからである。
【０００８】
上述のとおり、本願考案者は、櫛を両方向に移動させるために、針部同士の間の隙間内において溝部にそれぞれ尖った端縁を設けることによって、当該技術において公知の櫛よりも効率的かつ有効な除去を実現するために、アタマジラミ治療用の櫛における歯部の機能的局面を向上させるよう企図している。
【考案の概要】
【課題を解決するための手段】
【０００９】
考案の簡単な説明
したがって、本考案の目的は、毛髪を傷つけることなく、幼虫、ちりおよびシラミを保持し、捕らえて、引きずり出すように設計された溝部または谷部を備えた針部、歯部またはワイヤを含む、シラミ寄生症の治療用の櫛を提供することである。
【００１０】
本考案のさらに別の考案は、把持ハンドルおよび複数の歯部を含む、アタマジラミ治療用の新しい櫛を提供することである。複数の歯部の各々は、毛髪中に存在するシラミおよび幼虫を捕らえて引きずり出すように意図された連続した溝部または谷部を備える。溝部または谷部は、各々の櫛歯または針部に沿って交差する２グループのうち一部を形成し、これにより、互いに反対方向に面する尖った端縁および交差区域を規定する。
【００１１】
本考案のさらに別の目的は、把持ハンドルを備えたタイプの、シラミ寄生症治療用の櫛を提供することであり、複数の歯部同士が毛髪通過用の隙間分だけ隔てられており、毛髪中に存在する幼虫およびシラミを保持して一緒に引きずり出すために、突出した粗い中間歯部を備える。上記粗い手段は、上記歯部の各々のうち少なくとも１つの長手方向部分の表面上に規定される複数の溝部または連続した谷部によって形成される。上記複数の溝部または谷部は、少なくとも２グループの溝部または谷部を備える。すなわち、各々の歯部のまわりを螺旋状に第１の回転方向に延在する第１のグループの溝部と、各々の歯部のまわりを螺旋状に、上記第１の回転方向と交差する第２の方向に延在する第２のグループの溝部とを備える。上記端縁は、歯部同士の間の隙間の各々において両方向に尖った溝部を規定する。
【００１２】
本考案のさらに別の目的は、シラミ治療用の櫛を提供することであり、シラミ治療用の櫛は、把持ハンドルおよび複数の歯部を含み、複数の歯部は各々、毛髪中に存在する幼虫およびシラミを捕らえて引きずり出すように意図された溝部または連続した谷部を備える。各々の溝部または谷部は、少なくとも一方の側面が、突出する境界部によって形成されている。
【００１３】
本考案のさらに別の目的は、把持部および複数の、好ましくは金属製の、歯部または針部またはワイヤを含む、アタマジラミ治療用の櫛の歯部上に溝部および突起を形成するための方法を提供することである。当該方法は、櫛歯の各々に対して転造工具を作用させて、歯部の上記表面に対して傾斜した力ベクトルとして圧力を加えることにより上記溝部を形成し、溝部に隣接する材料を溝部の少なくとも一方側に向かって移動させ、これにより、溝部の少なくとも上記一方側にこのような境界部を形成するステップを含む。
【００１４】
図面の簡単な説明
本考案の主題を明確に分かり易くするために、本考案の主題がいくつかの図において示されているが、これら図においては、本考案は、好ましい表現形態のうちの一形態で一例として示されているに過ぎない。
【図面の簡単な説明】
【００１５】
【図１】先行技術に従った、アタマジラミ治療用の櫛を示す正面図である。
【図２】図１の櫛が有する３本の歯部を示す拡大正面図である。
【図３】本考案の好ましい実施形態に従った櫛の３本の歯部を示す拡大正面図である。
【図４】本考案における２本の歯部同士の間の隙間のより詳細な図であって、矢印で示されるように隙間内において互いに反対方向に移動する毛髪に付着した幼虫を示す図である。
【図５】幼虫捕獲能力を改善させる目的で、溝部のうち少なくとも一方側または両側に突起を設けるために転造によって溝部が形成されている２本の歯部を示す詳細な部分断面図である。
【図６】溝部の一方側だけに突起端縁を残した状態で、櫛歯の表面上の溝部に圧力を加えることによって作成される工具を示す詳細な部分断面図である。
【図７】溝部の両側に突起端縁を残した状態で、櫛歯の表面上の溝部に圧力を加えることによって作成される工具を示す部分断面図である。
【考案を実施するための形態】
【００１６】
考案の詳細な説明
ここで図面を参照すると、本考案がアタマジラミの治療用の櫛であることが分かる。当該櫛は、その全体が参照番号１で識別されており、離れたところから見ると、従来の櫛のように見える可能性もある。このタイプの櫛１は、把持ハンドル２を備え、把持ハンドル２の内部には、複数の歯部または針部３が取付けられている。複数の歯部または針部３は、ハンドル２から互いに対して平行に延在し、１本の毛髪を通過させるのに都合のよい距離を維持して、この毛髪に付着している幼虫を捕らえる。たとえば、歯部同士の間の隙間は５０μｍ〜１００μｍであってもよく、この距離は、本考案と同じ考案者および所有者によるアルゼンチン特許ＡＲ０３２７５Ｂ１によれば、この櫛にとって有効であることが既に判明している。同様に、歯部または針部は、全長が４０ｍ〜８０ｍｍの範囲であり、ハンドルを除く有用な長さは２０ｍｍ〜６０ｍｍの範囲であり得る。前述の特許においては、歯部または針部は、毛髪中に存在する幼虫およびシラミを保持して引きずり出すための粗い手段を備える。
【００１７】
最も効率的かつ有効な実施形態のうちの１つにおいては、歯部または針部３ａ、３ｂ、３ｃの粗い手段は、各々の歯部の長さのうち少なくとも一部上の表面上において規定される連続した溝部または谷部を備える。図２において参照番号４によって識別される溝部は、各々の歯部３のまわりに螺旋状に刻まれる。すべての螺旋状の溝部は同じ方向に設けられている。すなわち、これらの溝部は、図から分かるように、上方から見て、針部のまわりを螺旋状に時計回りの方向に巻き付けられている。
【００１８】
溝部のうち、隣接する歯部からなる対の各々を隔てる隙間５に面する区域は、２つの境界部、すなわち、図２に示されるように上方境界部６および下方境界部７、を有する。但し、図を簡素化するために、隣接する溝部のうちのいくつかだけが参照される。したがって、各々の螺旋状の溝部が隙間５と交差する際に特定の傾きを示しているため、上方境界部６が歯部の円筒壁８および溝部４の側壁９によって形成されることとなり、これにより、図２において明確に示されるように鋭角を形成することとなる。逆に、下方境界部７は、歯部の円筒壁８および溝部４の側壁１０によって形成されることとなり、これにより、鈍角、すなわち９０°を上回る角度を形成することとなる。結果として、境界部６は、図の右側に示される歯部３ｃ上では、鋭利なまたは鋭角の下向き構成であるために、尖った端縁となる。一方で、境界部７は、鋭利なまたは鋭角の側部を備えていないので、鈍い端縁または滑らかな端縁となる。隙間５の反対側では、歯部３ｂはまた、この場合上向きの尖った端縁（live edge）６と、下向きの鈍い端縁（dead edge）７とを有することとなる。
【００１９】
たとえば長髪の子供に対して櫛が用いられる場合、頭のてっぺんから櫛を入れ始め、毛髪に沿って櫛を下げていき、子供の毛髪の下方端部にまで達する。頭のてっぺんから櫛を入れ始める場合、櫛が毛髪に差し込まれる、すなわち、図２において毛髪の上方に現われる矢印によって示されるように、毛髪１１が櫛を通過する方向は歯部３ｂおよび歯部３ｃに対して上向きとなる。櫛が毛髪の一番下にまで引き下げられると、毛髪１１の下方に現われる矢印によって示されるように、毛髪が隙間５から出て歯部の先端に向かって進んでいく。歯部が毛髪に沿って移動するのが明らかであることから、当然、隙間５内における毛髪の上方向への移動および下方向への移動は、毛髪と歯部との間における相対的運動となる。
【００２０】
図２に示されるように、幼虫が寄生している毛髪が上方向に移動する場合、この毛髪は２つの尖った端縁６、すなわち図２の右側に示される歯部３ｃの端縁、にしか接触せず、一方で、鈍い端縁７は毛髪表面に接触しない。なぜなら、これら鈍い端縁７が鈍角を有するからであり、さらに、境界部７が、通過していく毛髪に面することなく、この毛髪に追従していくからである。これは、歯面８に沿って摺動する毛髪が境界部７を通り過ぎてしまうためである。他方で、図の中心に示されている歯部３ｂの境界部はまた、尖った境界部６および鈍い境界部７となるだろう。但し、それらの尖った境界部６は上向きになっているので、毛髪の通過に影響を及ぼすことはなく、一方で、上昇しながら通り過ぎる毛髪に面する境界部７は鋭い角度のある境界部を呈しておらず、このため、毛髪に付着した幼虫を捕らえるために毛髪表面上で機能させるには非効率的である。毛髪１１は、上方から下降する際に中心の歯部３ｂにおける尖った境界部６だけに面することとなる。したがって、櫛がいつも毛髪に対して内側と外側とに通されない場合、櫛は隙間５における１本の歯部の尖った端縁だけに面することとなり、結果として治療が非効率になるだろう。
【００２１】
この問題を解決するために、本考案は、図３および図４に示されるように、２つの異なるグループの溝部または谷部のパターンを提供する。一方のパターンは一方向への螺旋状構成を備え、他方のパターンは、反対方向への螺旋状構成を備える。
【００２２】
より正確には、櫛は、図１に示されるような全体的構成を有してもよいが、先行技術とは異なり、複数の溝部または谷部は少なくとも２グループの溝部または谷部を含む。すなわち、各々の歯部のまわりを螺旋状に第１の回転方向に延在する第１のグループの溝部４と、各々の歯部のまわりを螺旋状に、上記第１の回転方向と交差する第２の方向に延在する第２のグループの溝部１２とである。溝部４のグループは、歯部の上方から見ると、時計回りの方向に回転することによって歯部に沿って下降し、第２のグループ１２においては、溝部は、反対方向に回転しながら下降して、両方のグループの溝部を交差させて、歯部３同士の間の各隙間５内において両方向に鋭い端縁を規定する。
【００２３】
溝部４および１２は、互いに交差すると、隙間５の外側または隙間５の内側にランダムに位置し得る交差区域１３を形成する。歯部同士の間の隙間５は０．０５ｍｍから０．１ｍｍであってもよく、同じグループの溝部は、歯部のまわりを円周方向に延在し、０．５ｍｍ〜５ｍｍの間隔を空けて配置される。螺旋状溝部の２つのグループが互いに反対方向に延在している構成により、幼虫「Ｌ」（図４を参照）を担持する毛髪１１が尖った端縁６に接触する際に常に歯部３ｂまたは歯部３ｃから接触する、すなわち、毛髪が滑り抜けていく隙間５における側面側の歯部のいずれかから接触することが確実にされる。このようにして、尖った端縁６のいずれかによって確実に幼虫が捕らえられることとなる。図４においては、幼虫「Ｌ」は、途中で、歯部３ｂにおける２つの鋭い端縁６ａおよび６ｂと、歯部３ｃにおける尖った端縁６ｃとに接触するだろう。幼虫は、下降させると、歯部３ｂの尖った端縁６ｄおよび歯部３ｃの尖った端縁６ｅに接触することとなる。これにより、幼虫「Ｌ」を捕らえて、患者または使用者の毛髪に張り付いている異物およびシラミと一緒に引きずり出せる確率が大幅に増大するだろう。
【００２４】
また本考案に従うと、溝部４および溝部１２は切断技術または好ましくは転造によって形成されてもよい。より正確には、本考案の別の局面に従うと、図６および図７に最もよく示されるように、各々の溝部または螺旋状の谷部５および１２は、少なくとも一方側に、円筒形の歯部３の概して滑らかな表面の上に突出た突起１４を有する。図５においては、明確にするために４つの溝部しか示されていないが、積層物および境界部１４も図３および図４の溝部１２に適用可能であることが分かる。好ましくは、２つの境界部１４および１５は、溝部４または１２の両側に位置するように、溝部４または溝部１２の両側に１つずつ設けられることとなるが、所望の効果を達成するために単一のフランジでも可能であることが明らかである。加えて、フランジ１４および１５は、所望の設計や、用いられる材料などに応じて、鋭い端縁または緩やかに丸みを帯びた端縁を規定し得る先端部１６を有してもよい。
【００２５】
歯部は、たとえば５０μｍ〜１００μｍの距離を空けて配置されてもよく、上記隆起した突起は、好ましくは０．００５ｍｍから０．０４ｍｍ、より好ましくは最大距離０．０１ｍｍを空けて上記歯面「Ｓ」の上方に延在する。これらの円周方向の溝部は、０．５ｍｍから４ｍｍの距離を空けて配置されてもよく、上記螺旋状の溝部は０．５ｍｍから４ｍｍの螺旋ピッチを有してもよい。
【００２６】
隣接する歯部の溝部は、隣接する歯部の突起１４および１５が図５に示されるようにずらされるかまたは互いに面するように配置されてもよい。いずれの場合も、２本の隣接する歯部９同士の間の距離は小さくなり、これにより、幼虫または異物１７を保持する毛髪１１の通過が制限されてしまうだろう。
【００２７】
別の局面においては、本考案は、櫛１の歯部３上に溝部４、１２および突起１４、１５を形成するための方法を提供する。実際には、先行技術の櫛歯上の溝部は、歯面を機械加工するための切削工具を使用することによって達成されるが、結果として、溝部が非常に粗くなってしまい、毛髪を研磨してしまうのに対して、本考案は、公知のシラミ用櫛の有する２つの問題をうまく解決する別の方法を用いている。１つの問題は溝部の摩耗性であり、もう１つの問題は、幼虫をより有効に捕らえるのに十分な組織が歯部に不足していることである。
【００２８】
本考案のこの局面に従うと、切断ではなく転造技術を用いて溝部を作成する。より特定的には、歯部材料を変形させる段階が１回だけ実行される。この段階は、櫛歯の各々に対して転造工具１７を作用させて、圧力を加えることによって上記溝部４、１２を形成するステップを含む。上記圧力は、図６に示されるように、上記歯面「Ｓ」に対して傾斜させることができる力ベクトルＦｌに応じて加えられ、溝部に隣接する材料をその側面のうち少なくとも１つに向かって移動させることにより、少なくとも溝部のその側面に上記突起１４を形成し得る。
【００２９】
代替的には、本考案の方法は、図７に示されるように、転造工具１８を用いてもよい。転造工具１８は、歯部３の表面に対して垂直な力Ｆ２を加えて、溝部に隣接する材料を溝部の両側に向かって移動させるようにして、溝部の両側に上記突起１４および１５を形成する。
【００３０】
この製造プロセスは冷間圧延であり、溝部またはスロット４、１２は、たとえば、それが工具を通過する際にワイヤのまわりで工具を回転させることによって作製することができる。実際には、工具１７または１８は１つであってもまたは複数であってもよい。
【００３１】
本考案は、先行技術に勝る改善例を提示する。たとえば、アルゼンチン特許ＡＲ０３２７５Ｂｌは、幼虫をその経路における９０度のスリット内に落下させて、幼虫が歯部上の溝部内に入っている場合にはこの幼虫を捕らえることに成功している。１つまたは２つの突起１４、１５を備えている本考案では、幼虫に対する最も積極的作用を示す区域、すなわち突起および溝部、を拡張させることができる。さらに、追加のわなをもたらす突起を備えることもできる。このとき、幼虫は、同じ考案者による特許に記載される溝部に落下するよりもより頻繁に突起に衝突する。
【００３２】
２つの効果が本考案の突起または起伏によって達成される。粗い区域が広くなるのに応じて幼虫が捕らえられる確率が高くなる。この場合、円筒の母線に沿っていくらか拡張させることで、幼虫と衝突し易くなっている。たとえば、幼虫の動きに対して９０度の角度で突出する境界部により、その経路にいる幼虫が引きずり出されるおよび／または分解される。頭全体にこれらの櫛を通す進路に注意を払うことによって、毛髪上の幼虫に対する溝部および突起付き歯部の移動が、歯部に対して垂直な成分と、その軸の方向における別の成分とを有することが分かる。次いで、溝部に対する幼虫の複合的な動きは、その進路からほぼ９０度となっている。すなわち、櫛を通すことによって、毛髪に付着した幼虫が突起または溝部に引っ掛けられる。
【００３３】
図５は、歯部の長手方向断面であって、突起および溝部によって引っ張られる毛髪に付着した幼虫と接触断面とを示す図である。この図に示されるように、各々の突起１４および１５の高さ「Ｈ」は０．０４ｍｍを超えないだろう。
【００３４】
本考案の別の改善例は、製造プロセスにおいて切屑が除去されない場合に、歯部の材料が、転造圧力を受けて塑性状態となり、端縁上にまで運ばれてそこに堆積し、これにより、突起１４および１５を形成することである。したがって、このようにして得られた溝内面は摩擦を引起こさず、その突起は非常に積極的な作用を示す。
【００３５】
製造プロセスにおいて用いられる転造方法はまた、櫛の有効性についての重要な変動要素である、屈曲に対する歯部の抵抗性を向上させる。この向上は、結果として生じる切欠が、切屑を除去する場合と同様に材料の繊維を切断しないことによってもたらされる。
【図１】
0003208806.tif 000003
【図２】
0003208806.tif 000004
【図３】
0003208806.tif 000005
【図４】
0003208806.tif 000006
【図５】
0003208806.tif 000007
【図６】
0003208806.tif 000008
【図７】
0003208806.tif 000009
【手続補正書】
【提出日】平成28年8月19日(2016.8.19)
【手続補正１】
【補正対象書類名】実用新案登録請求の範囲
【補正対象項目名】全文
【補正方法】変更
【補正の内容】
【実用新案登録請求の範囲】
【請求項１】
把持ハンドルを含むタイプのアタマジラミ治療用の櫛であって、複数の歯部が把持部から突き出し、前記歯部は、１本の毛髪が通過できる距離だけ間隔を空けて配置され、前記毛髪上に存在するシラミおよび幼虫を保持して引きずり出すための粗い手段を備え、前記粗い手段は、前記歯部の各々のうち少なくとも１つの長手方向セグメントの表面上に規定される複数の連続した溝部または谷部を備え、
前記複数の溝部または谷部は、少なくとも２グループの溝部または谷部によって形成され、前記少なくとも２グループの溝部または谷部は、すなわち、各々の歯部のまわりを螺旋状に第１の回転方向に延在する第１のグループの溝部と、各々の歯部のまわりを螺旋状に、前記第１の回転方向と交差する第２の方向に延在する第２のグループの溝部とであり、前記溝部は、歯部の間の隙間の各々において両方向に尖った端縁を規定する、櫛。
【請求項２】
前記第１のグループの溝部は、交差区域を規定する前記第２のグループの溝部と交差する、請求項１に記載の櫛。
【請求項３】
前記交差区域は、各々の歯部に沿って、前記各々の歯部のまわりにランダムに配置される、請求項２に記載の櫛。
【請求項４】
前記交差区域は、前記歯部の間における前記隙間に配置される、請求項２に記載の櫛。
【請求項５】
前記歯部は、０．０５ｍｍから０．１ｍｍの距離を空けて配置される、請求項１から４のいずれかに記載の櫛。
【請求項６】
１つのグループの前記溝部は、前記歯部のまわりに円周方向に延在し、０．５ｍｍから５ｍｍの距離を空けて配置される、請求項１から５のいずれかに記載の櫛。
【請求項７】
前記溝部または谷部は、少なくとも一方の側面が、歯面に沿って突出する境界部によって形成されている、請求項１から６のいずれかに記載の櫛。
【請求項８】
前記歯部は、０．０５ｍｍ〜０．１ｍｍの距離を空けて配置され、隆起した前記境界部は、前記歯面の上方に０．００５ｍｍから０．０４ｍｍだけ突出している、請求項７に記載の櫛。
【請求項９】
前記突出している境界部の各々は上方端縁を有する、請求項７および請求項８のいずれかに記載の櫛。
【請求項１０】
隣接する歯部のうち前記突出している境界部は互いからずらされている、請求項７から９のいずれかに記載の櫛。
【請求項１１】
隣接する歯部のうち前記突出している境界部が互いに面している、請求項７から９のいずれかに記載の櫛。
【請求項１２】
前記突出している境界部は、各々の溝部の両側に存在する、請求項７から１１のいずれかに記載の櫛。
【請求項１３】
前記溝部は転造によって形成される、請求項１から１２のいずれかに記載の櫛。
【手続補正２】
【補正対象書類名】明細書
【補正対象項目名】００２４
【補正方法】変更
【補正の内容】
【００２４】
また本考案に従うと、溝部４および溝部１２は切断技術または好ましくは転造によって形成されてもよい。より正確には、本考案の別の局面に従うと、図６および図７に最もよく示されるように、各々の溝部または螺旋状の谷部４および１２は、少なくとも一方側に、円筒形の歯部３の概して滑らかな表面の上に突出た突起１４を有する。図５においては、明確にするために４つの溝部しか示されていないが、積層物および境界部１４も図３および図４の溝部１２に適用可能であることが分かる。好ましくは、２つの境界部１４および１５は、溝部４または１２の両側に位置するように、溝部４または溝部１２の両側に１つずつ設けられることとなるが、所望の効果を達成するために単一のフランジでも可能であることが明らかである。加えて、フランジ１４および１５は、所望の設計や、用いられる材料などに応じて、鋭い端縁または緩やかに丸みを帯びた端縁を規定し得る先端部１６を有してもよい。